(57)【要約】      （修正有）【課題】様々な磁気特性を有する磁性材料から最適なものを選択または組合せて電子機器のケーブルを伝わる電磁ノイズを的確に除去することができ、しかも、磁化した磁性材料の永久磁気による悪影響も防止できるケーブル用ノイズ除去器具を提供する。【解決手段】非磁性絶縁体から成り、かつ、中空部に電子機器の配線ケーブルを挿通可能な内側筒部を備え、かつ、この内側筒部よりも径が大きい外側筒部を少なくとも一つ有する多重筒構造のケース本体１と、このケース本体１の内外筒部の間のスペースに隙間を残して収容された強磁性粉体２と、この強磁性粉体２が収容されたケース本体１のスペースを封止するプラグ部材３、３とを含んで構成し、ケース本体１を挿通状態に装着した配線ケーブルに電磁ノイズが流れたとき、ケース本体１内の強磁性粉体２の磁気特性により前記電磁ノイズを減衰可能とした。【選択図】図２
0003154312.tif 000002
【実用新案登録請求の範囲】
【請求項１】
非磁性絶縁体から成り、かつ、中空部に電子機器の配線ケーブルＣを挿通可能な内側筒部11を備え、かつ、この内側筒部11よりも径が大きい外側筒部12を少なくとも一つ有する多重筒構造のケース本体１と；このケース本体１の内外筒部の間のスペースに隙間を残して収容された強磁性粉体２と；この強磁性粉体２が収容されたケース本体１の空間を封止するプラグ部材３・３とを含んで構成され、
前記ケース本体１を挿通状態に装着した配線ケーブルＣに電磁ノイズが流れたとき、当該ケース本体１内に収容した強磁性粉体２の磁気特性により前記電磁ノイズを減衰可能であり、かつ、前記配線ケーブルＣ周囲に発生した磁場により強磁性粉体２が磁化したとき、強磁性粉体２をスペース内で流動させることによって永久磁気を消磁可能としたことを特徴とするケーブル用ノイズ除去器具。
【請求項２】
プラグ部材３・３をケース本体１に対し着脱自在な構造としたことを特徴とする請求項１記載のケーブル用ノイズ除去器具。
【請求項３】
ケース本体１の内側筒部11と外側筒部12を別個の筒状部材から作製し、これらの筒状部材を左右一対のリング状のプラグ部材３・３で連結して構成したことを特徴とする請求項１または２に記載のケーブル用ノイズ除去器具。
【請求項４】
プラグ部材３或いはケース本体１の外側筒部12に、導電性を有するアルミニウムを使用してケース本体１の外部又は内部から入射する電磁波を反射減衰可能としたことを特徴とする請求項１〜３の何れか一つに記載のケーブル用ノイズ除去器具。
【考案の詳細な説明】
【技術分野】
【０００１】
本考案は、ケーブル用ノイズ除去器具の改良、更に詳しくは、磁性材料を選択または組合せて電子機器のケーブルを伝わる電磁ノイズを的確に除去することができ、しかも、磁化した磁性材料の永久磁気による悪影響も防止できるケーブル用ノイズ除去器具に関するものである。
【背景技術】
【０００２】
近年、オーディオやパソコンなどの電子機器等において、電源ケーブルや信号伝達用ケーブルに流れる伝導ノイズが機器本体に悪影響を及ぼすことが広く認知されており、このような伝導ノイズを除去する手段として、電波吸収体である磁性材料を使用した筒状のノイズ除去器具を配線ケーブルに装着する方法が知られている。
【０００３】
また、上記ノイズ除去器具の磁性材料には、フェライト粉末を焼結したフェライトコア(例えば、特許文献１参照)やフェライト粉末や強磁性金属の粉末を合成樹脂等のバインダーによって固めたもの(例えば、特許文献２参照)が一般的に用いられている。
【０００４】
ところで、このようなノイズ除去器具に使用される磁性材料に関しては、その磁気特性によって吸収可能な電磁波の周波数帯域が異なるため、電子機器固有の伝導ノイズの周波数帯域に合わせて最適な磁性材料を選択する必要がある。
【０００５】
ところが、磁気材料にフェライトコアを選択した場合には、含有成分が酸化鉄を主成分としたものに限定されてしまうため特定の周波数帯域の電磁ノイズしか除去することができず、また、磁性材料の粉末をバインダーで固めたものを使用する場合にも、磁性材料が低密度な状態となって磁気特性が最大限に活かされず、吸収可能な周波数帯域が制限されてしまうという欠点があった。
【０００６】
一方、従来においては、磁気特性の異なる複数種類の磁性材料を組み合わせてより広い範囲の周波数帯域をカバーできるようにした技術(例えば、特許文献３又は特許文献４参照)も提案されている。
【０００７】
しかしながら、上記従来技術においては、磁性材料にフェライトコアや強磁性金属等のブロック体を使用していたことから、配線ケーブルに電気が流れたときに発生する磁場により磁性材料が磁化された場合に、その磁性材料の永久磁気によってケーブルを伝わる電気信号が乱れるなどの悪影響を受ける懸念があった。
【先行技術文献】
【特許文献】
【０００８】
【特許文献１】特開平３−６８１１０号公報（第２−５頁、第１−４図）
【特許文献２】特開平１１―４０９７９号公報（第２−７頁、第１−７図）
【特許文献３】特開平５−２９１５２号公報（第２−４頁、第１−６図）
【特許文献４】特開２０００―３０６７３５号公報（第２−５頁、第１−４図）
【考案の概要】
【考案が解決しようとする課題】
【０００９】
本考案は、上記の如き問題に鑑みて為されたものであり、その目的とするところは、様々な磁気特性を有する磁性材料から最適なものを選択または組合せて電子機器のケーブルを伝わる電磁ノイズを的確に除去することができ、しかも、磁化した磁性材料の永久磁気による悪影響も防止できるケーブル用ノイズ除去器具を提供することにある。
【課題を解決するための手段】
【００１０】
本考案者が上記課題を解決するために採用した手段を添付図面を参照して説明すれば次のとおりである。
【００１１】
即ち、本考案は、非磁性絶縁体から成り、かつ、中空部に電子機器の配線ケーブルＣを挿通可能な内側筒部11を備え、かつ、この内側筒部11よりも径が大きい外側筒部12を少なくとも一つ有する多重筒構造のケース本体１と；このケース本体１の内外筒部の間のスペースに隙間を残して収容された強磁性粉体２と；この強磁性粉体２が収容されたケース本体１のスペースを封止するプラグ部材３・３とを含んで構成し、
前記ケース本体１を挿通状態に装着した配線ケーブルＣに電磁ノイズが流れたとき、当該ケース本体１内の強磁性粉体２により前記電磁ノイズを減衰可能であり、かつ、前記配線ケーブルＣ周囲に発生した磁場により強磁性粉体２が磁化したとき、強磁性粉体２をスペース内で流動させることによって永久磁気を消磁可能とした点に特徴がある。
【００１２】
ちなみに、上記「強磁性粉体」には、粉体よりも粒子径の大きい粒状のものや薄型の小片から成るフレーク状のものも含まれる。
【００１３】
また、本考案においては、上記課題を解決するために、必要に応じて上記手段に加え、プラグ部材３・３をケース本体１に対し着脱自在な構造とするという技術的手段を採用することもできる。
【００１４】
また、本考案においては、上記課題を解決するために、必要に応じて上記手段に加え、ケース本体１の内側筒部11と外側筒部12を別個の筒状部材から作製し、これらの筒状部材をリング状のプラグ部材３・３で連結して構成するという技術的手段を採用することもできる。
【００１５】
また、本考案においては、上記課題を解決するために、必要に応じて上記手段に加え、プラグ部材３或いはケース本体１の外側筒部12に、導電性を有するアルミニウムを使用してケース本体１の外部または内部から入射する電磁波を反射減衰可能とするという技術的手段を採用するとこともできる。
【考案の効果】
【００１６】
本考案においては、非磁性絶縁体から成る内側筒体とその外側に配置される外側筒体とを備える多重筒構造のケース本体の筒間スペースに、隙間を残した状態で強磁性粉体を収容し、そのスペースをプラグ部材で封止してノイズ除去器具を構成したことにより、本考案器具を配線ケーブルに装着すれば、前記ケース本体に収容した強磁性粉体の磁気特性によってケーブルを流れる電磁ノイズを吸収除去できるため、機器本体の機能に悪影響を及ぼす伝導ノイズの問題を解消することができる。
【００１７】
一方、本考案では、磁性材料をブロック化せずに粉粒状のまま使用しているため、強磁性金属や強磁性化合物等から電磁ノイズの周波数帯域に合った材料を自由に選択又は組み合わせることができ、また、粒子径の小さい強磁性粉体を使用すれば収容された磁性材料は高密度な状態となって磁気特性が抑制されることもないため、幅広い周波数帯域の電磁ノイズに対応することが可能となる。
【００１８】
また、上記ケース本体に収容した強磁性粉体が、使用中に配線ケーブル周囲に発生した磁場によって磁化した場合でも、ケース本体を振るなどして強磁性粉体を収容スペース内で流動させれば、揃っていた粒子の磁極方向がバラバラになることで永久磁気を消磁させることができるため、永久磁気による電気信号等への悪影響も防止することができる。
【００１９】
したがって、本考案により、電気機器の伝導ノイズを周波数帯域に合った磁性材料により的確に減衰除去することができ、また磁性材料の磁化対策にも有効なケーブル用ノイズ除去器具を提供できることから、本考案の実用的利用価値は頗る高い。
【図面の簡単な説明】
【００２０】
【図１】本考案の実施例１におけるノイズ除去器具を表わす全体斜視図である。
【図２】本考案の実施例１におけるノイズ除去器具の構造を表わす縦断面図である。
【図３】本考案の実施例１におけるノイズ除去器具の各パーツを表わす分解斜視図である。
【図４】本考案の実施例１におけるノイズ除去器具の使用状態を表わす状態説明図である。
【図５】本考案の変形例におけるノイズ除去器具の構造を表わす縦断面図及び全体前面図である。
【図６】本考案の変形例におけるノイズ除去器具のケース本体の形状を表わす全体斜視図である。
【考案を実施するための形態】
【００２１】
『実施例１』
本考案の実施例１は、図１から図６に示される。同図において、符号１で指示するものは、ケース本体であり、符号２で指示するものは、強磁性粉体である。また、符号３で指示するものは、プラグ部材である。
【００２２】
次に、実施例１の構成を以下から説明する。まず実施例１では、中空部に電子機器の配線ケーブルＣを挿通できる円筒型の内側筒部11と、この内側筒部１よりも径が一回り大きい同じく円筒型の外側筒部12とから二重筒構造のケース本体１を構成している(図１、図２参照)。
【００２３】
また、上記ケース本体１の内側筒体11の材料には、非磁性絶縁体であるフッ素樹脂(ＰＴＦＥ)を使用し、外側筒体12の材料には、非磁性絶縁体であるポリペンコアセタール樹脂(ＰＯＭ)を使用している。
【００２４】
そして、上記ケース本体１の内側筒部11と外側筒部12の間に作出されたスペースには、隙間を残した状態で強磁性粉体２である鉄粉を収容すると共に、強磁性粉体２を収容した状態で内側筒部11に嵌めたリング状プラグ部材３を外側筒部12の段縁部12aに嵌め込んで当該スペースを封止している。
【００２５】
なお実施例１においては、上記プラグ部材３に非磁性体で導電性を有するアルミニウムを使用してケース本体１の外部または内部から入射する電磁波の反射減衰を可能としている。
【００２６】
また実施例１では、図３に示すようにケース本体１の内側筒部11と外側筒部12を別個の筒状部材とし、これらを左右一対のリング状プラグ部材３・３を介して一体化する簡単な構造を採用しているため、上記強磁性粉体２を収容する際には、リング状プラグ部材３の一方を予め装着しておく必要がある。
【００２７】
そして、上記のように構成したノイズ除去器具を、図４に示すように電子機器の配線ケーブルＣに取り付ければ、ケース本体１に収容した強磁性粉体２の磁気特性によって配線ケーブルＣを流れる電磁ノイズを減衰除去することができる。
【００２８】
なお、上記配線ケーブルＣにノイズ除去器具を取り付ける際には、電源ケーブル及び信号ケーブルの出力端子にできるだけ近い位置に配置するのが好ましく、また配線ケーブルＣが鉛直方向を向いている場合には、ノイズ除去器具が下方に滑り落ちないように下側に固定部材４を取着する。
【００２９】
また、強磁性粉体２に関しては、鉄粉に限らずコバルト粉などの強磁性金属やフェライト粉などの強磁性酸化物等から電磁ノイズの周波数帯域に合った材料を自由に選択又は組み合わせて使用できるため、幅広い周波数帯域に対応することができる。
【００３０】
そしてまた、実施例１では強磁性粉体２に粒子径が数ミクロンのものを使用しているため、ケース本体１内の強磁性粉体２は高密度な状態に収容されて磁気特性が損なわれることもない。
【００３１】
また更に実施例１では、ケース本体１に対しプラグ部材３を着脱自在な構造として、ケース本体１に収容した強磁性粉体２の入れ替えも可能としているため、オーディオ機器等で使用者が満足できるレベルにノイズが除去されていないと感じた場合には、強磁性粉体２の種類や組合せ又は材料割合を変更調整することも可能である。
【００３２】
他方また、上記ケース本体１に収容した強磁性粉体２が、使用中に配線ケーブルＣ周囲に発生した磁場によって磁化した場合でも、ケース本体１を振るなどして強磁性粉体２をスペース内で流動させれば、強磁性粉体１の永久磁気を消磁させることもできる。
【００３３】
本考案は、概ね上記のように構成されるが、本考案は図示の実施形態に限定されるものでは決してなく、「実用新案登録請求の範囲」の記載内において種々の変更が可能であって、例えば、ケース本体１の外側筒部11やプラグ部材３の材料については、磁場により影響を受けない非磁性体であれば、導電性の有無に限らずプラスチック材料や金属材料等から自由に選択して使用することができる。
【００３４】
また、ケース本体１は、内側筒部11に対し複数の外側筒部12・12’を入れ子状に備えた多重筒構造であってもよく、このような構造を採用した場合には、ケース本体１の筒間に作出される内側スペースと外側スペースに種類の異なる強磁性粉体２・２’を収容することも可能となる(図５参照)。
【００３５】
そしてまた、図６(a)に示すようにケース本体１における内側筒部11と外側筒部12の間に仕切り部13・13…を入れてスペースを複数に隔てることによって、各スペースに複数種の強磁性粉体２を収容することも可能である。
【００３６】
他方また、ケース本体１に関しては、角筒型の形状や図６(b)に示すように後付けに便利な半筒部材を組み合わせた形状などであってもよく、また強磁性粉体２の流動性を活かしてケース本体１の外側筒部12を上下非対称の形状とし、上下の向きを変えて使用することによって強磁性粉体２の収容状態を変更可能としてもよく、何れのものも本考案の技術的範囲に属する。
【産業上の利用可能性】
【００３７】
近年においては、パソコンやオーディオ、ソナーなど機能上、電気信号のやり取りが必要な電子機器において伝導ノイズの悪影響が問題視され、このようなノイズの混入を防止する電磁シールド技術や既に混入してしまったノイズを除去するノイズフィルタリング技術の開発が進んでいる。また特に、オーディオ機器に関しては、残留ノイズによって音の質感が大きく変わってしまうため、ノイズ対策をできる限り綿密に行う必要がある。
【００３８】
そのような中で、本考案のケーブル用ノイズ除去器具は、周波数帯域に合った磁性材料で上記伝導ノイズを的確に除去できるだけでなく、永久磁気による新たなノイズの発生も防止できる有用な技術であることから、市場における需要は大きく、その産業上の利用価値は非常に高い。
【符号の説明】
【００３９】
１  ケース本体
11  内側筒部
12  外側筒部
12a  段縁部
13  仕切り部
２  強磁性粉体
３  プラグ部材
４  固定部材
Ｃ  配線ケーブル
【図１】
0003154312.tif 000003
【図２】
0003154312.tif 000004
【図３】
0003154312.tif 000005
【図４】
0003154312.tif 000006
【図５】
0003154312.tif 000007
【図６】
0003154312.tif 000008